(57)【要約】  本発明は、クラスＩのレーザーからの目に安全な赤外エネルギーを用いて培養内の細胞を操作する方法及びシステムを提供する。レーザーエネルギーは、１つ又はそれ以上の界面推進事象を生成し、これが焦点において細胞を操作するのに十分な流体力学的力を発生させる。【選択図】図１Ａ
2013530426.tif 000002
【特許請求の範囲】
【請求項１】
水性媒質内の焦点において界面推進（ＰＢＰ）を誘発する方法であって、レーザー及び対物レンズを用いて１４００ｎｍより長い波長を有する赤外エネルギーを前記媒質内の焦点に供給するステップを含むことを特徴とする方法。
【請求項２】
前記レーザーは、クラスＩレーザーであることを特徴とする、請求項１に記載の方法。
【請求項３】
前記レーザーエネルギーは、１４００ｎｍと１５００ｎｍとの間の波長を有することを特徴とする、請求項１に記載の方法。
【請求項４】
前記レーザーエネルギーは、約１４５０ｎｍの波長を有することを特徴とする、請求項１に記載の方法。
【請求項５】
前記レーザーエネルギーは、１４００ｎｍと１４５０ｎｍとの間の波長を有することを特徴とする、請求項１に記載の方法。
【請求項６】
前記レーザーエネルギーは、１４１０ｎｍと１４３０ｎｍとの間の波長を有することを特徴とする、請求項１に記載の方法。
【請求項７】
前記レーザーエネルギーは、１８５０ｎｍと１９２０ｎｍとの間の波長を有することを特徴とする、請求項１に記載の方法。
【請求項８】
前記水性媒質は、複数の浮遊細胞を含むことを特徴とする、請求項１に記載の方法。
【請求項９】
前記細胞は、幹細胞であることを特徴とする、請求項８に記載の方法。
【請求項１０】
前記ＰＢＰは、１つ又はそれ以上の細胞を別の場所に移すことを特徴とする、請求項１に記載の方法。
【請求項１１】
前記ＰＢＰは、１つ又はそれ以上の細胞の膜に貫入することを特徴とする、請求項１に記載の方法。
【請求項１２】
前記貫入することは、外来性ＤＮＡを細胞内に組み入れることを含むことを特徴とする、請求項１１に記載の方法。
【請求項１３】
前記媒質を通して前記焦点を移動させるステップと、前記供給するステップを繰返すステップとをさらに含むことを特徴とする、請求項１に記載の方法。
【請求項１４】
前記移動させるステップは、毎秒１０フレームに等しいか又はそれ以下の頻度で実施されることを特徴とする、請求項１３に記載の方法。
【請求項１５】
前記供給するステップは、１００Ｈｚと１０００Ｈｚとの間の複数のパルスを供給することを含むことを特徴とする、請求項１に記載の方法。
【請求項１６】
前記供給するステップは、毎秒約２００のパルスを供給することを含むことを特徴とする、請求項１に記載の方法。
【請求項１７】
前記レーザーエネルギーは逐次パルスで供給され、第１のパルスは１４５０ｎｍと１４９０ｎｍとの間の波長を有し、第２のパルスは１４００ｎｍと１４３０ｎｍとの間の波長を有することを特徴とする、請求項１に記載の方法。
【請求項１８】
前記供給するステップは、前記赤外エネルギーを４ｍｓ未満の持続時間の１つ又はそれ以上のパルスで供給することを含むことを特徴とする、請求項１に記載の方法。
【請求項１９】
前記供給するステップは、前記赤外エネルギーを５０μｓと５００μｓとの間の持続時間の１つ又はそれ以上のパルスで供給することを含むことを特徴とする、請求項１に記載の方法。
【請求項２０】
前記供給するステップは、前記赤外エネルギーを約１５０μｓの持続時間の１つ又はそれ以上のパルスで供給することを含むことを特徴とする、請求項１に記載の方法。
【請求項２１】
水性媒質内の焦点において界面推進（ＰＢＰ）を誘発するためのシステムであって、１４００ｎｍより長い波長を有する赤外エネルギーを供給するレーザーと、対物レンズとを備えることを特徴とするシステム。
【請求項２２】
前記対物レンズは、４０×及び２０×のものからなる群から選択されることを特徴とする、請求項２１に記載のシステム。
【請求項２３】
前記レーザーの出力は、２００ｍＷと４００ｍＷとの間であることを特徴とする、請求項２１に記載のシステム。
【請求項２４】
前記レーザーの出力は、約３００ｍＷであることを特徴とする、請求項２１に記載のシステム。
【請求項２５】
前記レーザーは、前記赤外エネルギーを複数の繰返しパルスで供給し、前記パルスについて平均された前記システムの平均出力は、９０ｍＷ未満であることを特徴とする、請求項２１に記載のシステム。
【請求項２６】
前記システムは、機械式ステージ、ターレット、接眼レンズ及びカメラのうちの少なくとも一方、並びにダイクロイックミラーを有する顕微鏡をさらに備え、前記レーザーは、前記ターレットに取り付けられ、前記ミラーは、前記レーザーからの前記赤外エネルギーを前記ステージに向けて反射し、可視光を前記接眼レンズ及びカメラのうちの少なくとも一方の中に向けて反射することを特徴とする、請求項２１に記載のシステム。
【請求項２７】
前記レーザーは、前記対物レンズに対して恒久的に固定されることを特徴とする、請求項２１に記載のシステム。
【発明の詳細な説明】
【技術分野】
【０００１】
関連出願
本出願は、引用によりその全体が本明細書に組み入れられる２０１０年６月１４日出願の「Ａｐｐａｒａｔｕｓ  ａｎｄ  Ｍｅｔｈｏｄ  ｆｏｒ  Ｌｉｖｉｎｇ  Ｃｅｌｌ  Ｍａｎｉｐｕｌａｔｉｏｎ」と題する米国特許仮出願第６１／３５４，４７９号の利益及び該出願に対する優先権を主張する。
【背景技術】
【０００２】
生きた細胞を移動させる又は操作する方法は、幹細胞、体外受精、細胞及び組織の培養、組織再生並びにそれに類した分野に関連する治療に向けた研究を可能にする不可欠なツールである。例えば、広く用いられている幹細胞は、胚（ＥＳ）、人工多能性幹細胞（ＩＰＳ）、臍帯血細胞、皮膚又は他の組織など成体細胞、のいずれに由来するものであっても、これらの多能性細胞が種々異なる終着の細胞型へと分化する能力ゆえに、治療作用に関して非常に有望である。この能力は組織移植治療における近年の発展を可能にしてきたが、幹細胞コロニーの操作は、非常に時間がかかり難しい場合がある。幹細胞の増殖を可能にする細胞操作、特に、輸送（継代）のために細胞又は細胞培養コロニーを単離することは、依然として非常に労力を要し、技術的に難しい（例えば、引用により本明細書に組み入れられる非特許文献１を参照のこと）。
【０００３】
コンフルエント層（シート）又はそれ以外にも組織培養皿の表面への付着物は、これらの細胞を移動させる又は操作する必要がある場合に厄介な問題を引き起こすので、培養内で維持された細胞を移動させる方法は、もっと少ない。幹細胞は特に、多くの場合ペトリ皿の中で、栄養豊富な増殖培地で囲まれた基質上で増殖したコロニー内に存在する。培養内でのこれらの細胞の正常な増殖には継代、即ち、細胞を分けて新鮮な増殖培地を入れた別のチャンバ内に入れることが必要である。細胞型によっては、大きな細胞集団から小さな細胞集団を単離するか、又は層の一部分を単離して、それらの細胞をさらなる試験、研究又は処置のために異なる場所に移すことがさらに望ましい場合がある。
【０００４】
しかし、未分化の幹細胞を長期間培養内で維持することは、特別な問題を示す。幹細胞コロニーは、インビトロでは時間が経つと分化する傾向がある。従って、幹細胞系を維持するために、又は細胞の数を著しく増加させるためには、未分化の部分（又は選択されたコロニー）を単離して新しい容器へと継代しなければならない。理想的には、切り出し及び継代は、コロニーを損なわずに、即ち、多数の細胞を死滅させずに行うべきである。付着した細胞をトリプシン又はコラゲナーゼのような酵素を用いてその基質から剥離する細胞継代は数十年にわたってルーチンに使用されているが、幹細胞培養における酵素の使用は、遺伝子改変のリスクが高まるので特に好ましくない。
【０００５】
細胞をそれが増殖された基質から切り出す又は切断するという目標を達成するための、非酵素的な機械的方法が記載されている。例えば、細く引き延ばしたガラスマイクロピペットでコンフルエント層に刻み目又は切り目を入れることにより細胞をコンフルエント層から切り出すことができることが、当該分野において周知である。切断後、層の「断片」即ち細胞の小クラスタを表面から持ち上げて取り出し、異なる環境内に置くことができる。引き延ばしたガラスマイクロピペットを用いた手作業の切断は、この方法が幹細胞の遺伝子改変の機会を最小にするので好ましい。
【０００６】
細胞を分離するための別の機械的方法は、圧電マイクロナイフ、例えば、マイクロチゼル（ＭｉｃｒｏＣｈｉｓｅｌ）圧電力マイクロダイセクション（Ｐｉｅｚｏ−Ｐｏｗｅｒ  Ｍｉｃｒｏｄｉｓｓｅｃｔｉｏｎ）（ＰＰＭＤ）システムの使用を伴う（例えば、非特許文献２を参照のこと）。ＰＰＭＤは、鋭利なタングステン針を、小さな圧電振動により振動して周囲組織から細胞を切り裂く顕微的ナイフとして使用する。この方法は、簡単であるが、細胞レベルでの精度及び正確さを欠き、横方向の振動及びマイクロピペット又はナイフとの接触により、間違いなく多数の細胞を死滅させ又は損傷する。
【０００７】
ＰＰＭＤは特定の状況においては適切な技術であり得るが、他の用途においては機械的損傷を防ぐことが特に重要となる。これは、比較的少数の高価な細胞を単離する必要があり、過度の組織損傷によって失うことができない場合に特に当てはまる。他の場合には、細胞の損傷又は破壊により、細胞の増殖、生理、又は機能に悪影響を及ぼす可能性がある有害な化学物質が組織培養培地に放出されることがある。細胞操作のためのこれら物理的方法の別の不利な点は、切断器具が異物を細胞コロニーに導入することがあり、培養物を汚染するか又はそれ以外で培養物の完全性を損なう可能性があるということである。
【０００８】
レーザーは、生細胞及び組織の顕微操作のための代替手段を提供する。当該技術は、「光ピンセット」呼ばれることがある赤外レーザー「トラップ」を開示しており、これは、放射圧の力を用いて生細胞全体又は細胞内の細胞小器官を操作する（例えば、非特許文献３を参照のこと）。レーザーはまた、剥離した網膜を「溶接」するため、近視患者において角膜を彫刻して異なる光学的焦点を達成するため、及び培養内の不要な細胞を除去するためにも用いられている。
【０００９】
レーザーは、組織試料中の固定された細胞などの生体物質を切断するのにも有用である。細胞（又はその一部分）を、解剖刀として機能するレーザービームによって文字通り切断することができる「レーザーはさみ」が開発されている。レーザーを用いて、オプトポレーション（ｏｐｔｏｐｏｒａｔｉｏｎ）と呼ばれるプロセスで細胞膜にミクロンサイズの穴を開けることができる。これらの小さな穴は、直ぐに閉じるので恒久的な損傷を生じないが、開いている間に、導入されると細胞の遺伝子構造を変え得るＤＮＡのような大きい分子を含めて、普通は細胞膜によって排除される化学物質が細胞の内部に入ることを可能にすることができる。レーザー操作はまた、不妊治療支援プログラム及び治療院におけるヒトの卵子のアシステッドハッチングにも有用であることが証明されている。例えばＺＩＬＯＳ−ｔｋ（λ＝１４５０ｎｍ）を用いたレーザーアブレーションは、胚を囲む透明帯の小さい区域を薄くするか、さらには除去するために、インビトロで用いられており、この手技は、新しい胚を損傷することなく着床させることを促進するため、及び、胚の栄養外胚葉の一部を持ち上げて栄養外胚葉の着床前遺伝子診断のために取り出すことを可能にするために用いられる（例えば、非特許文献４を参照のこと）。
【００１０】
レーザーは、細胞操作のための酵素的又は機械的な方法に伴う上述の多くの問題を回避する。レーザー切断ビームは非物質であり、グロースチャンバ内にいかなる異物をも導入する可能性がないので、汚染がない。自動ステージを用いた顕微鏡ベースのレーザーシステムは、検体を、その後の継代のために、必要に応じて自動的に再実行できるパターンで、ミクロン精度で小区域に分割するように調整することができる。
【００１１】
しかし、レーザービームには大量のエネルギーが含まれるので、レーザー操作における１つの問題は、熱の発生及び隣接構造に対する損傷である。細胞操作に用いられるレーザーは、マイクロ秒以下の短パルスで作動されて短時間にエネルギー線量を送出する場合が多い。系に対する全エネルギーは、レーザー出力、パルスの持続時間、パルスの数などの１つ又はそれ以上のパラメータを変えることによって微調整することができる。局部加熱は、出力及び全パルス持続時間が増大するにつれて高まることになる。
【００１２】
米国食品医薬品局（Ｆｏｏｄ  ａｎｄ  Ｄｒｕｇ  Ａｄｍｉｎｉｓｔｒａｔｉｏｎ）によって承認されている国際規格ＩＥＣ  ６０８２５−１改正２（さらに２１Ｃ．Ｆ．Ｒ．§１０４０．１０も参照のこと）によれば、レーザーは、使用中に目又は皮膚に対して生物学的損傷を引き起こす能力によって分類される（例えば、ＦＤＡ  Ｌａｓｅｒ  Ｎｏｔｉｃｅ  Ｎｏ．５０を参照のこと）。レーザーの波長、ビーム出力、及びパルス持続時間に基づいて、分類は、全ての通常の使用条件下で安全なクラスＩから、潜在的に壊滅的且つ恒久的な目の損傷を生じさせることに加えて、皮膚を焼灼し又は可燃物を発火させ得る高出力レーザーであるクラスＩＶへと進む。クラスＩレーザーは一般に、切断又は焼灼のためには出力が不十分であると考えられる。
【００１３】
ＰＡＬＭ（登録商標）と呼ばれるレーザーマイクロダイセクションシステムは、ＵＶのＮ2レーザー（λ＝３３７ｎｍ、パルス持続時間３ｎｓ、ピークパルス出力１０ｋＷ超）を用いて、選択された細胞集団及び単一細胞を組織切片から回収するためのシステムを提供する（例えば、非特許文献５を参照のこと）。３５５ｎｍの周波数３倍化Ｎｄ：ＹＡＧレーザーもまた、この目的のために使用されている。ＵＶレーザーからのパルスは、顕微鏡を通して合焦され、組織切片内で細胞及び組織のレーザーアブレーションを生じさせる。有効試料質量を最小化することが必要とされるので、試料は、一般には媒質で覆われない。ＰＡＬＭは、生体物質を超音速で試料から吹き飛ばされる原子にまで分解する、光化学機構を通して動作すると考えられる。この切断作用は、レーザーのごく小さな焦点（＜１μｍ）に限定され、隣接した細胞又は近くの核酸及びタンパク質のような近接した物質は無傷のまま残される（例えば、非特許文献６を参照のこと）。第２のパルスが、切り抜かれた試料を採取装置内へと推進する。
【００１４】
これらの業績にも関わらず、ＵＶ光子の使用は化学線の影響のリスクがあり、また、生体物質を切断するために必要な極短強力パルスを生成するのに必要なクラスＩＩＩ又はクラスＩＶレーザーは、潜在的に危険であり、且つ、作動に費用がかかる。
【先行技術文献】
【特許文献】
【００１５】
【特許文献１】米国特許第７，０７２，３７７号
【特許文献２】米国特許出願公開第２００７／０２９１７９８号
【特許文献３】米国特許出願公開第２００９／０３１６２５９号
【特許文献４】米国特許出願公開第２０１０／０１１８３９５号
【非特許文献】
【００１６】
【非特許文献１】Ｃｏｏｋｅ，Ｊ．Ａ．及びＭｉｎｇｅｒ，Ｓ．Ｌ．著「Ｃｕｌｔｕｒｅ  ｏｆ  Ｈｕｍａｎ  Ｓｔｅｍ  Ｃｅｌｌｓ」、第２章、２００７年
【非特許文献２】Ｈａｒｓｃｈ，Ｍ．Ａ．他、Ａｍ．Ｊ．Ｐａｔｈｏｌ．、２００１年、第１５８巻、ｐ．１９８５−０９０、。
【非特許文献３】Ａｓｈｋｉｎ，Ａ．及びＤｚｉｅｄｚｉｃ，Ｊ．Ｍ．、Ｎａｔｕｒｅ、１９８７年、第３３０巻、ｐ．７６９−７１
【非特許文献４】Ｐａｎｇａｌｏｓ，Ｃ．Ｇ．他、Ｆｅｔａｌ  Ｄｉａｇｎ．Ｔｈｅｒ．、２００８年、第２４巻、ｐ．３３４−３３９
【非特許文献５】Ｖｏｇｅｌ，Ａ．他、Ｍｅｔｈ．Ｃｅｌｌ  Ｂｉｏｌ．、２００７年、第８２巻、第５章
【非特許文献６】Ｓｃｈｕｔｚｅ，Ｋ．他、Ｃｅｌｌ．Ｍｏｌ．Ｂｉｏｌ．（Ｎｏｉｓｙ−ｌｅ−ｇｒａｎｄ）、１９９８年、第４４巻、ｐ．７３５−７４６
【非特許文献７】Ｄｏｕｇｌａｓｓ−Ｈａｍｉｌｔｏｎ，Ｄ．Ｈ．及びＣｏｎｉａ，Ｊ．、Ｊ．Ｂｉｏｍｅｄ．Ｏｐｔｉｃｓ、２００１年、第６巻、ｐ．２０５−２１３
【非特許文献８】Ｔａｄｉｒ，Ｙ．及びＤｏｕｇｌａｓｓ−Ｈａｍｉｌｔｏｎ，Ｄ．Ｈ．、Ｍｅｔｈ．Ｃｅｌｌ  Ｂｉｏｌ．、２００７年、第８２巻、第１４章
【発明の概要】
【発明が解決しようとする課題】
【００１７】
従って、安全に細胞を操作する（例えば、さらなる検査又は操作のための細胞の切断、細胞シートの切り出しなど）ための、信頼性が高く、費用効率が高い、クラスＩレーザーに基づくシステム及び方法が、当該分野で必要とされている。
【課題を解決するための手段】
【００１８】
本発明は、クラスＩレーザーからの目に安全な赤外エネルギーを用いて培養内の細胞を操作する方法及びシステムを提供する。レーザーエネルギーは、水性の細胞培地（ａｑｕｅｏｕｓ  ｃｅｌｌ  ｍｅｄｉｕｍ）内で過熱水が蒸気に変化するときに１つ又はそれ以上の界面推進事象を生成し、焦点において細胞を操作するのに十分な流体力学的力を発生させる。
【００１９】
一態様において、本発明は、水性媒質（ａｑｕｅｏｕｓ  ｍｅｄｉｕｍ）内の焦点において界面推進（ＰＢＰ）を誘発するための方法を提供し、この方法は、レーザー及び対物レンズを用いて１４００ｎｍより長い波長を有する赤外エネルギーを媒質内の焦点に供給するステップを含む。
１つ又はそれ以上の好ましい実施形態において、レーザーは、クラスＩレーザーである。
種々の実施形態において、レーザーエネルギーは、１４００ｎｍと１５００ｎｍとの間の波長を有する。
特定の実施形態において、レーザーエネルギーは、約１４５０ｎｍの波長を有する。幾つかの実施形態において、レーザーエネルギーは、１４００ｎｍと１４５０ｎｍとの間の波長を有する。さらなる実施形態において、レーザーエネルギーは、１４１０ｎｍと１４３０ｎｍとの間の波長を有する。
他の実施形態において、レーザーエネルギーは、１８５０ｎｍと１９２０ｎｍとの間の波長を有する。
【００２０】
幾つかの実施形態において、水性媒質は、複数の浮遊細胞を含む。特定の実施形態において、細胞は幹細胞である。
種々の実施形態において、ＰＢＰは、１つ又はそれ以上の細胞を別の場所に移す。
幾つかの実施形態において、ＰＢＰは、１つ又はそれ以上の膜に貫入する。特定の実施形態において、貫入することは、外来性ＤＮＡを細胞内に組み入れることを含む。
【００２１】
幾つかの実施形態において、本方法は、媒質を通して焦点を移動させるステップと、前述の供給するステップを繰返すステップとをさらに含む。特定の実施形態において、移動させるステップは、毎秒１０フレームに等しいか又はそれ以下の頻度で実施される。
幾つかの実施形態において、供給するステップは、１００Ｈｚと１０００Ｈｚとの間の複数のパルスを供給することを含む。特定の実施形態において、供給するステップは、毎秒約２００パルスを供給することを含む。
【００２２】
特定の実施形態において、レーザーエネルギーは逐次的パルスで供給され、第１のパルスは１４５０ｎｍと１４９０ｎｍの間の波長を有し、第２のパルスは１４００ｎｍと１４３０ｎｍとの間の波長を有する。
【００２３】
幾つかの実施形態において、前記の供給するステップは、赤外エネルギーを４ｍｓ未満の持続時間の１つ又はそれ以上のパルスで供給することを含む。特定の実施形態において、供給するステップは、赤外エネルギーを５０μｓと５００μｓとの間の持続時間の１つ又はそれ以上のパルスで供給することを含む。さらなる実施形態において、供給するステップは、赤外エネルギーを約１５０μｓの持続時間の１つ又はそれ以上のパルスで供給することを含む。
【００２４】
別の態様において、本発明は、水性媒質内の焦点において界面推進を誘発するためのシステムを提供し、このシステムは、１４００ｎｍより長い波長を有する赤外エネルギーを供給するレーザーと、対物レンズとを備える。
１つ又はそれ以上の好ましい実施形態において、対物レンズは４０×又は２０×である。
幾つかの実施形態において、レーザーの出力は、２００ｍＷと４００ｍＷとの間である。特定の実施形態において、レーザーの出力は、約３００ｍＷである。
特定の実施形態において、レーザーは、赤外エネルギーを複数の繰返しパルスで供給し、パルスについて平均されたシステムの平均出力は、９０ｍＷ未満である。
【００２５】
種々の実施形態において、システムは、機械式ステージ、ターレット、接眼レンズ及びカメラのうちの少なくとも一方、並びにダイクロイックミラーを有する顕微鏡をさらに備え、レーザーは、ターレットに取り付けられ、ミラーは、レーザーからの赤外エネルギーをステージに向けて反射し、可視光を接眼レンズ及びカメラのうちの少なくとも一方の中に向けて反射する。
１つ又はそれ以上の好ましい実施形態において、レーザーは、対物レンズに対して恒久的に固定される。
【００２６】
本発明の付加的な特徴及び利点を以下に説明する。この概要部は、本発明の特定の特徴を単に例証することを意図したものであり、本発明の範囲をいかようにも限定することを意図するものではない。本発明の特定の特徴又は実施形態を論じていないこと、又はこの概要部に１つ又はそれ以上の特徴を含めることは、特許請求される本発明を限定するものと解釈されるべきではない。
【００２７】
前述の概要、並びに、本出願の好ましい実施形態に関する以下の詳細な説明は、添付の図面との関連で読むと、より良く理解されるであろう。本出願の装置を説明するために、図中に好ましい実施形態を示す。しかし、本出願は、図示した通りの配置及び手段に限定されないことを理解されたい。
【図面の簡単な説明】
【００２８】
【図１Ａ】界面推進の第１段階の略図である（縮尺なし）。ＩＲレーザーからの入射ビームが、ペトリ皿内の水性媒質内の焦点上に合焦され、その回りの水が沸点を超える温度に過熱される。
【図１Ｂ】過熱水の相変化がトリガされた後で形成される大きな蒸気泡を示す略図である。蒸気泡の形成は、流体力学的力に応じて近くの物体を移動させる。
【図１Ｃ】蒸気泡の崩壊後、溶解前の（ｅｘ−ｓｏｌｖｅｄ）気体（Ｎ2、Ｏ2）の小泡が、水性媒質内に再溶解するまで一時的に残る。
【図２】直径４μｍの微小球の懸濁液中で形成された直後の相変化蒸気泡のストロボスコープ画像である。顕微鏡は、皿の床面の僅かに上方のＰＢＰ泡に焦点を合わせており、従って、床面上のビーズは僅かに焦点ぼけしている。
【図３】最大半径に近い相変化蒸気泡のストロボスコープ画像である（スケールバー＝１００μｍ）。
【図４】２０×の対物レンズを用いて、水中の直径４μｍの微小球（ポリスチレンビーズ）の層を切り開いた軌跡である。
【図５】ヘキスト（Ｈｏｅｃｈｓｔ）３３３４２及びヨウ化プロピジウムで染色した網膜上皮細胞の厚いコロニーを切り開いた軌跡である。全ての細胞核はヘキスト（Ｈｏｅｃｈｓｔ）３３３４２（青）で染色され、膜が損傷を受けた細胞はヨウ化プロピジウム（赤）で染色される。
【図６】ヘキスト３３３４２及びヨウ化プロピジウムで染色された網膜上皮細胞の薄い層を切り開いた軌跡である。（スケールバー＝１００μｍ）。
【発明を実施するための形態】
【００２９】
レーザーは、材料、金属及びフィルムを切断するための有用なツールであることが長い間、知られている。レーザーは生体物質を切断するためにも同様に有用であることが証明されているが、レーザー系の高いエネルギーは、ユーザにとって重大な安全性の問題を引き起こす。おそらく最も重大なのは、可視光領域を含む１４００ｎｍ未満の波長の光が目の角膜を透過し得るということである。レンズを通して合焦されると、焦点スポット内の高度にコヒーレントなレーザー光は、網膜の局所的領域を不可逆的に焼灼する可能性がある。非常に短いパルスの高エネルギー光であっても、恒久的な網膜損傷を生じさせる可能性がある。
【００３０】
そのうえ、より短波長の青及び紫外領域などの光は、化学結合を分断してフリーラジカルを生成するのに十分なエネルギーを運び、フリーラジカルは広範囲の組織損傷を引き起こす可能性がある。光放射から生じる化学的効果は「化学線」効果と呼ばれ、一般に、これらの効果は、生体組織及びＤＮＡのような重要な分子に損傷を与えると考えられている。従って、生きた細胞を操作するときには、不可逆的な細胞損傷の可能性を最小にすることが非常に望ましく、光子のエネルギーが低すぎて化学線効果を生じさせない波長を用いことが好ましい。より長いレーザー波長は、化学線効果を最小にするという目標の達成を助長することができる。
【００３１】
レーザーの安全性に関連した別の関連因子は、レーザーのクラスである。前述のように、クラスＩレーザーは一般に安全であると考えられ、日常的使用にはあまり注意を要しない。ワット（Ｗ）単位で通常計測される所与のビーム強度に対して、波長が長いレーザーほど、より安全である傾向がある。水は生体物質の主要な成分であるので、水とレーザービームとの相互作用は、生細胞に対するレーザーの影響の重大な決定因子である。１４００ｎｍより長い波長（光スペクトルの近赤外から中赤外（ＩＲ）部分における）の光子からのエネルギーは、水分子によって振動エネルギー（分子内伸縮及び変角による）として効率的に吸収され、直ぐに熱として放出される。水及び水性媒質内においては、ビームエネルギーは非常に短距離で急速に減衰する。この波長領域における光子は非常に強く吸収されるので、硝子体液を通過して網膜に達することはない。同様に、λ＞１４００の光子のエネルギーは低すぎて化学線効果を生じさせない。これらの特性のため、λ＞１４００ｎｍ（例えば、１４００−１５００ｎｍの波長領域内）のクラスＩレーザーは、典型的には「目に安全」と分類される。
【００３２】
今まで、１４００−１５００ｎｍ領域内のクラスＩレーザーは、生体物質を切断するための有効なツールではなかった。近赤外レーザーはレーザーピンセットとして用いられているとはいえ、細胞の切断及び細胞コロニーの操作には短波長ＵＶ繰返しパルスレーザーが適用されている。これらの高強度ビームは、一般に、典型的には３ｎｓ又はそれ未満の非常に短いパルス持続時間しか必要とせず、パルスの間のエネルギーは１０ｋＷ（３０μＪ）のオーダーであり、複数のパルスで所望の効果を生じさせる。合焦されたＵＶレーザービーム内の光子からの高強度の局所照射は、非常に小さい領域内の化学結合を壊すのに十分なエネルギーを与える。しかし、散乱したＵＶ放射は、局所細胞に影響を及ぼすことがあり、周囲体積内の細胞を損なう可能性がある化学変化を誘発することがある。本発明は、もっぱら目に安全な領域のクラスＩ赤外放射を使用する。より長時間にわたってパルス化される、より低強度のビームにより、効果的な細胞コロニーの切断／操作が可能になる。
【００３３】
前述のように、水はＩＲ放射の強力な吸収体となり得る。光子エネルギーと、Ｈ2Ｏ分子の対称及び非対称伸縮並びに変角振動モードの種々の倍音及び重ね合わせとの共鳴が、波長範囲１０００ｎｍ＜λ＜２０００ｎｍにおける吸光度の大きな変動をもたらす。対称（ν１）及び非対称（ν３）基本振動モードに対応する強い吸光度ピークが、λ＝１４５０ｎｍに存在する。従って、水の吸収がλ＝１４５０ｎｍのレーザー光の透過を大いに制限する。
【００３４】
媒質が高度に吸収性である場合、媒質を透過した後に標的に達するのはＩＲビームのうちのわずかな部分のみである。高度に吸収されるＩＲレーザービームのエネルギーを細胞に送達するために、今まではコンタクトファイバを用いてビームを光ファイバで直接、標的に誘導した。しかし、この方法ではビームを合焦することができず、また前述の機械的方法と同様に、外部の物質（例えば、光ファイバ）がグロースチャンバ内に導入されるので、汚染のリスクがある。
【００３５】
顕微鏡光学系を用いて焦点に集光される適切な波長のレーザービームは、水の吸収によるエネルギーの減少を克服することが可能である。これは、光学的に透明な（ペトリ皿のような）基材が、倒立顕微鏡の光学系を通じて形成された収束光ビームを透過させて標的へと伝える、細胞培養において特に有用である。焦点においてビームのエネルギーは最強となり、近くの細胞及び物質に影響を及ぼすことができる。ビームの焦点は皿の床面から１５μｍ以内に保持されることが好ましい。この目的のためには倒立顕微鏡が一般に用いられるが、同じ原理は正立顕微鏡にも当てはまる。適切な波長及び焦点強度の低出力ＩＲレーザーは、細胞操作の目的のために十分なエネルギーを送出することが可能であり、前述の多くの望ましくない特性を有するＵＶレーザーへの依存を避けることができる。
【００３６】
水性媒質内での放射の吸収及び関連する加熱効果は、例えば、Ｄｏｕｇｌａｓ−Ｈａｍｉｌｔｏｎ及びＣｏｎｉａによって、並びにＴａｄｉｒ及びＤｏｕｇｌａｓ−Ｈａｍｉｌｔｏｎによって論じられている（両方共に引用により本明細書に組み入れられる非特許文献７及び非特許文献８を参照のこと）。例えば、ＩＲレーザー（＞１００ｍＷ、λ＝１４８０、パルス長１００−３０００μｓ）を用いて胚の透明帯を操作するとき、水性媒質は著しく過熱され、急速に２００℃を超える温度（例えば、約３００℃）に達する。そのような高温において、水は非常に不安定である。核生成部位が存在すると、このような温度の水はほぼ爆発的な速度で液相から蒸気相に変化することになる。しかし、核生成部位が存在しないときには、パルスの終端において、過熱した水は、爆発的に気化する前に急速に（例えば、１０−１００μｓ以内に）沸点を下回るまで冷える。この、過熱とその後の冷却というプロセスは、普通のパルスレーザー条件下で発生し、その場合、エネルギーを送達するパルスは、冷却の期間によって中断される。
【００３７】
しかし、核生成部位又は付加的なエネルギーが過熱水に与えられると、沸騰が起こることがあり、即ち、液体水から水蒸気への相転移が発生することがある。過熱水における相転移は、泡と液体との間の急速に移動する界面の形成をもたらし、この界面が、細胞などの局所的物体を推進することができる（界面推進）。膨張に続いて、より冷たい大量の水への曝露により泡の急速な冷却が起る。この急速な冷却が、数ミリ秒以内に蒸気泡の再凝縮及び崩壊をもたらす。過熱水を加熱し冷却するこのサイクルは、本発明による物質を移動させる液相−気相転移を引き起こすものであり、これを本明細書では「界面推進」（ＰＢＰ）と呼ぶ。本発明の幾つかの実施形態において、ＰＢＰ泡は、３０μｓ未満の寿命を有する。
【００３８】
ＰＢＰ効果の概略の説明図を、図１Ａから図１Ｃに示す。図１Ａは、本発明による装置の構成要素の縮尺なしの略図を示す。適切な波長及び出力のレーザーからの平行光線が対物レンズを通して合焦され、過熱水を生成する。この結果、急激な相変化が生じる。本発明によるレーザー光を供給するための適切なシステムの例としては、Ｈａｍｉｌｔｏｎ  Ｔｈｏｒｎｅ，Ｉｎｃ．によって提供されるＺＩＬＯＳ−ｔｋ及びＸＹＣｌｏｎｅレーザーシステムが挙げられ、これは、対物レンズに対して固定されたレーザーを有し、顕微鏡のターレット上に取り付け可能である。これら及び他の適切な例は、それぞれの全体が引用により本明細書に組み入れられる特許文献１、特許文献２、特許文献３、及び特許文献４に記載されている。図１Ａに示すように、レーザーからの光が、焦点近傍の領域を液体の沸点を超える温度まで加熱する。潜在期間の後、過熱水の大部分が急速に気化して比較的大きな蒸気泡を形成する（図１Ｂ）。泡は、急速に膨張して水蒸気がそれよりはるかに低温の周囲の水（例えば、約３７℃）に接触した後、数マイクロ秒以内に再凝縮して消滅する。再凝縮プロセスは、典型的には３０μｓより短時間で起こる。溶解前の（ｅｘ−ｓｏｌｖｅｄ）Ｎ2及び／又はＯ2の非常に小さい泡が観察されることがあり、この泡は、これらの気体が溶液に再溶解するまでの間、典型的には約１ｓ後まで、蒸気泡の位置に残っている（図１Ｃ）。相爆発によって引き起こされる急速な放射状の流れが、細胞などの物体を相爆発中心から引き離し、その際、流体速度は約１０ｍ／ｓに達する。
【００３９】
界面推進は速すぎて、標的の普通の観測中には見ることができないが、その形成及び効果は、例えば、ストロボスコープＸｅフラッシュランプを用いて直接研究することができる。図２は、４μｍのラテックスビーズを含む水性媒質内で発達中のＰＢＰのストロボスコープ顕微鏡画像を示す。蒸気泡の形成の最初期段階においても、外側に向かうマイクロビーズの放射状の移動が見られる。水蒸気泡は、典型的には１０μｓより短時間で最大半径に達する（図３）。一連の画像を分析して行った計算に基づいて、蒸気泡の膨張速度は約１０ｍ／ｓとなる。これは音速よりも十分に遅いので衝撃波は形成されないが、界面の動きは、周囲の水及びマイクロビーズをビーム経路から移動させるのに十分な力を及ぼす。この点で、界面推進は、船によって形成される船首波と類似の作用で細胞をレーザービームの焦点から押しのけることができる。
【００４０】
界面推進の特性は、過熱水に関連した相転移の予測挙動と一致する。過熱水の体積は、パルス時間が長くなると共に準線形的に増大する。潜在時間（界面膨張プロセスが始動するのにかかる時間）が長いほど、より多くの熱エネルギーが蓄積され、ひとたび形成されるとＰＢＰ泡はより大きくなることが見いだされた。直接計測は、蒸気泡の最大直径が、予想される通り、近似的に潜在時間の３乗根に比例して増大することを示す。
【００４１】
本明細書で説明するＰＢＰ効果は、細胞など近くの物体を、真の衝撃波には付随することがある損傷を引き起こすことなく移動させるのに十分な流体力学的力を生成する。重要なことは、これらの力が直接的なレーザー加熱ではなく界面推進によって生成されることである。
【００４２】
本明細書で説明する実施形態は、エネルギーを短時間蓄積してそれを急激な相変化で放出する水の能力を利用するものである。このことは、熱が拡散することができるよりも速く液体を加熱することによって達成される。本発明はさらに、水がそのＩＲ吸収特性において著しい温度依存性を有するという事実を利用する。適切な波長を選択することにより、ＰＢＰを生成する確率を大幅に高めることができる。
【００４３】
本発明の好ましい実施形態は、クラスＩレーザーと、効率的な赤外レーザービーム透過用に適合させた光学系を装備した倒立顕微鏡と、コンピュータ支援ステージ移動とを用いた、細胞コロニーを分断するため又は生体物質を切断するための方法を提供する。この実施形態を用いて、媒質が過熱水から蒸気に変化するときに、制御された界面推進事象を繰返し生成することができる。これらの事象は、細胞のような近くの物体を、著しく加熱することなく別の場所に移すのに十分な流体力学的力を生成する。従って、本明細書で説明する発明は、標的を熱的に弱め、融解させ又は蒸発させる従来のレーザー切断とは本質的に異なる。
【００４４】
本発明は、既知のＵＶレーザーに基づくマイクロダイセクションシステムよりも低強度で持続時間がより長いパルスを送出する、低エネルギーレーザーを規定する。本明細書で説明するレーザーの波長は、目に安全な範囲内にあることが好ましく、１４００ｎｍ＜λ＜１５００ｎｍの範囲内にあることがより好ましい。適切なレーザーはまた、クラスＩ基準内に入る出力レベルを有する。
【００４５】
本発明の例示的な実施形態において、出力波長λが約１４５０ｎｍ、又は好ましくは１４００ｎｍ＜λ＜１４５０ｎｍ、最も好ましくは１４１０ｎｍ≦λ≦１４３０ｎｍの、ＩｎＧａＡｓＰダイオード赤外レーザーが用いられる。代替的に、出力波長λは１８５０ｎｍ≦λ≦１９２０ｎｍである。レーザーは、繰返しモードでパルスを送出することができる。このモードでの動作中に許容されるパルスの最大数及びパルス速度は、レーザーをクラスＩ状態に維持するのに許容できる最大値とすることが好ましい。λ＞１４００ｎｍ（例えば、λ＝１４５０ｎｍ）の放射に対する目及び皮膚の曝露のクラスＩ限界は、典型的には連続波照射に対して約１００ｍＷ／ｃｍ2であり、パルス波ビーム対してはより高くなる。システムの平均出力は、繰返しパルスモードにおいて９０ｍＷ未満に保たれることが好ましい。
【００４６】
本明細書で説明する機能に適した例示的なレーザー−対物レンズ系は、室温において約２８ｃｍ-1の吸収率κ及び約３６０μｍの光学的深さを有する、１４５０ｎｍ付近のλの出力を有するレーザーと、対物レンズとを備えることができる。これは、床面と試料との間の焦点距離が１００μｍを超えることを可能にすると同時に、高エネルギー密度が標的に適用されることを可能にする。幾つかの実施形態においては、赤外放射を試料に送達するための恒久的に結合された系として一緒に動作するレーザー−対物レンズ系を有することが好ましい。しかし、幾つかの用途又は目的に対しては、互換性のある一連の（例えば、異質のものを組み合わせた）レーザーと対物レンズとで構成されるレーザー−対物レンズ系を有することが好ましい場合がある。
【００４７】
本発明において有用な２つの例示的な好ましい対物レンズは、倍率２０×（焦点距離＝１０ｍｍ）及び倍率４０×（焦点距離＝５ｍｍ）のものである。開口数（ＮＡ）はレーザーに実際に用いられる開口数よりも大きいことが好ましく、その理由は、対物後方レンズ（ｏｂｊｅｃｔｉｖｅ  ｂａｃｋ  ｌｅｎｓ）に入射する平行レーザービームは５ｍｍのレンズ口径をいっぱいに満たさず、典型的には直径が約２ｍｍであるためである。２０×及び４０×の対物レンズに対する対応する有効ビーム径は、それぞれ約３ｍｍ及び２ｍｍであり、有効開口数（空気中で計測）は、それぞれＮＡ＝０．１５及び０．２と見積られる。
【００４８】
特に好ましい実施形態において、本明細書で説明するレーザー−対物レンズ系は、顕微鏡と組み合せて使用される。このレーザー−対物レンズ系は、顕微鏡のターレット上に嵌め合わされ、４５°のダイクロイックミラーから反射された赤外ビームが対物レンズを通って進み、標的に達する。ダイクロイックミラーは、ＩＲ波長を反射し、可視光波長を透過するように設計されており、レーザーからのＩＲビームを顕微鏡ステージ上の試料に向けて反射することができ、一方、可視光はミラーを真っ直ぐに通過して顕微鏡の接眼レンズ又は取り付けられたカメラに達するようになっている。このように、レーザー光が目に達する危険性なしに、同じ光路をレーザーによる操作と検体観察とに用いることができる。
【実施例】
【００４９】
実施例１：同じ位置における繰返しパルス
出力Ｐのレーザービームが時間ｔ0にわたって液体標的に向けられる場合、対流を無視すれば、時間ｔ（ｔ＞＞ｔ0）の後のビーム中心における温度Ｔは、近似的に式（１）によって与えられる。
【数１】
2013530426.tif 000003
（１）      
式中、αは液体標的の吸収係数であり、Ｋは熱伝導率である。
【００５０】
ｎ個のパルスが各々、時間間隔ｔ後に追加される場合、ｎ番目パルスの開始時における近似的な温度は、式（２）で与えられる
【数２】
2013530426.tif 000004
（２）      
【００５１】
従って、レーザーの発射と発射の間でレーザースポットが僅かしか動かない場合、且つ、レーザーショット間の間隔が約１０ｍｓである場合、後続のレーザーショットは、前のショットにより既に熱せられた液体中を進むことになる。１４１０ｎｍ＜λ＜１４３０ｎｍの波長に対して、吸収係数（α）は温度とともに増大するので、第２及び後続のパルスの吸収は第１のパルスの場合よりも大きくなることになる。これらの特性の効果により、ひとたび最初のＰＢＰが生じると、その後のＰＢＰ泡形成が促進されることになる。その結果、マルチパルスのビームは、進むにつれて各々の新しい位置においてＰＢＰを再始動させ、ビーム焦点が動くにつれて粒子はビーム焦点から押しのけられる。
【００５２】
実施例２：移動する試料における繰返しパルス
本発明の好ましい実施形態において、レーザー−対物レンズ系によって生成される界面推進は、細胞切断のためにマルチパルスモードで用いられる。この実施形態において、繰返しパルスは、１００−１０００Ｈｚ、好ましくは約１００−２００Ｈｚで送達され、媒質を通って焦点を移動させることで一連の隣接するＰＢＰ泡が生成される。細胞コロニーを通るこの移動の効果により、細胞が押しのけられ、ビーム経路によって二分されたコロニーの２つの側部の間に、広いクリアな分離部が残される。この効果は図４に示されており、この図はコンピュータ化されたステージ上のペトリ皿内の４μｍビーズを用いて得られた画像を示す。このステージは、レーザーの焦点が細線で示される矩形パターンをたどって移動するようにプログラムされているが、任意のいかなる形状又は位置も可能である。切断部の幅は、潜在時間が長くなると蓄積されるエネルギーが増大して界面推進蒸気泡の体積が増大するので、潜在時間によって直接に変化する。図示されるように、レーザーによって生成される相爆発は、ビーズを両側に一様に移動させ、ギャップを残さない。ビームがたどる区域にはビーズがなく（後でそこに落ち着いた数個を除いて）、ビーズは、ビームの両側に流体力学的に押しやられ、軌跡の縁部に積み重なっているのが見える。
【００５３】
移動するＰＢＰ泡に伴う潜在的な困難は、合焦されたビームが標的区域内を移動する際に、推進バーストが連続的に始動することを確実にすることである。一般に、皿の表面から距離がある自由空間における媒質内でビームが合焦される場合には、比較的高出力（例えば、４００ｍＷ）を用いてもＰＢＰは生じない。ＰＢＰには十分な過熱水を蓄積する時間（αに強く依存する）が必要であり、始動は、境界に隣接したところの方が遙かに容易に起る。
【００５４】
界面推進は、媒質の塊を加熱することによって引き起こすことができる直接レーザー生成対流とは明確に区別することができる。これらの対流的加熱効果は、いかなる相変化も起こさずに媒質を熱する、パルス持続時間がより長く、強度がより低いビームを用いて生じさせることができる。しかし、対流だけでは、細胞コロニーを切り開く、細胞がレーザーの軌跡が一掃されたクリアな軌跡を生成することができない。この細胞の移動には、急激な界面の膨張によって生成される流体力学的力が必要である。
【００５５】
実施例３：二重パルス始動
幾つかの実施形態において、ＰＢＰ泡は、最初に長い低出力ＩＲパルスで媒質を過熱レベルまで加熱し、次いで非常に短い高出力パルスを用いて、必要とされる正確な時刻に加熱領域内に不連続部を誘発することによって始動させることができる。精度は、レーザー−対物レンズ系のエネルギー伝達機構とトリガ機構とを分離することによって得ることができる。
【００５６】
二重パルス始動法には、本明細書で説明された第１のレーザー−対物レンズ系と並んで動作する別のレーザーが有益である。３３７ｎｍで動作するＵＶレーザーからの強力で非常に短いピコ秒又はフェムト秒パルスは、小さい蒸気泡を生成して相膨張をトリガすることができるが、そのようなシステムのコスト及び安全性の面での厄介な問題は、本発明によって開示される小型で簡単な装置によって与えられる利点を損なうものである。
【００５７】
しかし、他の始動波長が可能であり、より有用である。水は、赤外放射を約３μｍの波長で特に良く吸収する。しかし、この波長のレーザー光は、大部分のガラスをほとんど透過せず、またＩＲスペクトルのこの部分に適応する顕微鏡を構築することは非常に難しい。水のエネルギー吸収の別のピークは１．９−２．１μｍに現れるので、１４５０−１４９０ｎｍでの先行照射の後の１．９μｍの短く強いパルスにより、１４５０ｎｍレーザーによって生成された過熱水中に蓄積されたエネルギーを放出させるのに必要な相変化を始動させることができる。同様のトリガは、例えば１４１０ｎｍ≦λ≦１４３０ｎｍ、例えばλ＝１４２０ｎｍで得ることができる。パルス間の時間及び２つのレーザーパルスの強度を調節することによって、相変化プロセスを制御することができる。
【００５８】
従って、２つ若しくはそれ以上のレーザーを用いて、又は２つ若しくはそれ以上の波長の光を照射して過熱事象及び相変化誘発事象を別々に生成する２重パルス始動法は、明確に本発明の範囲に入る。
【００５９】
実施例４：細胞生存度
マウス線維芽細胞基質上で増殖させた網膜上皮細胞及びヒト幹細胞を用いて、細胞生存度を試験した。界面推進用レーザーにより、コロニーを、熱的切除にはよらず、その周囲に及ぼされた流体力学的力に依拠して切断して、分離したパッチにすることができる。細胞生存度は、２つの蛍光ＤＮＡ結合染料、即ち、細胞膜浸透性青色染料であるヘキスト（Ｈｏｅｃｈｓｔ）３３３４２、及び細胞膜不浸透性赤色染料であるヨウ化プロピジウムを同時に用いて細胞を染色することによって評価した。生存細胞は、ヘキスト３３３４２を吸収するがＰＩは吸収せず、青く見えることになる。他方、非生存細胞は、損傷した細胞膜を有しており、これによりＰＩが細胞内へと貫入してＤＮＡに結合し、赤く見えることになる。従って、細胞生存度は、試料中の細胞の総数と赤色の細胞の数とを比較することによって決定することができる。
【００６０】
直径＜５μｍのレーザー焦点は、ＰＢＰから生じる流体力学的波動を生成することにより、比較的厚い細胞層（図５）及び薄い細胞層（図６）を一掃して軌跡を形成することができた。それぞれの場合において、一掃された軌跡は、おおよそ５０−１００μｍの幅であった。細胞の標識により、大部分の細胞は単に一掃されただけで損傷を受けていないことが示された。軌跡の開けた部分に残っていた細胞（例えば、レーザースポットの経路から＜１μｍ以内にあった細胞）は非生存であるが、ＰＢＰによって脇に押しのけられた厚い細胞塊の側壁上の細胞は無傷であるように見える。他の実験により、これらの細胞が機能を有し、培養内で自由に増殖することができる（ガラスピペットを用いて機械的に継代した細胞と同程度、トリプシン処理を用いて継代した細胞と比べて改善された）ことが示された。遺伝子発現及び核型分析により、このようにして継代した細胞が正常な転写及び翻訳機能を有し、遺伝的に安定であることがさらに示された。薄い細胞塊においては、レーザー切断後に非生存細胞はほとんど見出されなかった。この結果は、熱的切除を伴わない機構を通じて細胞切断（例えば、哺乳類細胞培養の継代のため）を達成することができること、そしてこれは、制御された界面推進から生成される流体力学的力によって引き起こされることを示す。
【００６１】
さらに、ＰＢＰによる（例えば、直接レーザービーム内にある細胞の）選択的な膜浸透／損傷を、例えば、細胞に形質移入する（外来ＤＮＡを組み込む）ため、又は塊の切除（形質移入後の細胞の単離、培養物中の汚染細胞の除去などのため）のために利用することができる。後者の用途において、ＰＢＰは、指定区域内の細胞を排除して、区域外の細胞を手つかずで残すように、又はその区域の外側の細胞を排除して、区域内の細胞を手つかずで残すように用いることができる。この排除は、例えば、レーザーを、各経路間の距離を短くして指定区域をカバーするようにプログラミングして、その結果、床面が閉じた格子で覆われるようにして、あらゆる細胞が、他の細胞から及びチャンバの床面から切り離されて取り去られるか、又は、レーザービームがその上を走行してそれにより死滅されるようにするか、いずれかによって達成することができる。実験により、１５×１５μｍと３０×３０μｍとの間の間隔を有する格子をそのような切除のために用いることができること、一方、３５×３５μｍと４０×４０μｍとの間の格子は、格子の正方形内で最小限の数の細胞が生き残ることを可能にすること、及び、４０×４０μｍより大きい（例えば、１００×１５０μｍ、２００×３００μｍ）格子は細胞の継代のために用いることができることが示された。
【００６２】
本発明の好ましい例示的な実施形態に適用される本発明の基本的な新規の特徴を示し説明したが、当業者であれば、開示された本発明の形態及び細部において、省略、置き換え、及び変更を、本発明の趣旨から逸脱せずに行うことができることが理解される。さらに、当業者であれば、多くの修正及び変更に容易に想到し得ることが明白である。従って、本発明を、図示して説明した通りの構造及び動作に限定することが望まれるものではなく、それゆえに、全ての適切な修正均等物は、特許請求される本発明の範囲に入るように再分類することができる。従って、添付の特許請求の範囲によって示されるようにのみ限定されることが意図されている。
【図１Ａ】
2013530426.tif 000005
【図１Ｂ】
2013530426.tif 000006
【図１Ｃ】
2013530426.tif 000007
【図２】
2013530426.tif 000008
【図４】
2013530426.tif 000009
【図５】
2013530426.tif 000010
【図６】
2013530426.tif 000011
【図３】
2013530426.tif 000012
【国際調査報告】
2013530426.tif 000013